(57)【要約】【課題】外部から建物の内部への採光の調整をする為に、横型ブラインド、シェード、スクリーン等を用いる。しかしながら天井または窓枠の上部から取り付けられている為に反対に外部からの光の進入が不足して、建物の室内にあり例えば蛍光灯等の照明を点灯しなければならない、と言う矛盾する状態を解決しなければならない。【解決手段】開口手段の下部に設けられた昇降可能な複数の紐等により吊りさげられ保持された横型ブラインドとシェードとスクリーン等のいずれかのヘットレールの上部に採光させるための開口部を形成させ採光可能とする方法とその構成による。【選択図】図２
2011052377.tif 000002
【特許請求の範囲】
【請求項１】
開口手段の下部に設けられた昇降可能な複数の紐等により吊りさげられ保持された横型ブラインドやシェードやスクリーンのいずれかのヘットレールの上部に採光させるための開口部を形成させ採光可能とする方法。
【請求項２】
開口手段と、前記開口手段の下部に設けられた昇降可能な複数の紐等により吊さげられ保持して採光させる為の開口部を形成させる横型ブラインドやシェードやスクリーン等
【発明の詳細な説明】
【技術分野】
【０００１】
本発明は開口手段を持ち、上部から採光可能とする横型ブラインドとシェードとスクリーン等に関する。
【背景技術】
【０００２】
昨今、省エネルギーや耐震の関係上、建築物の窓は縦長にて幅が狭い窓がある。省エネルギーの関係においては、窓の高さ方向の長さを大きく取って、外部から建物内部へ多くの光を採光させる面も持つ。また断熱の兼ね合いから窓は幅が狭くなる傾向もある。
【０００３】
横型ブラインドとシェードとスクリーン等は、窓枠の上部または天井から吊して用いるのが一般的である。
これらを用いる際は、横型ブラインドのスラット、シェード、スクリーンは通常では窓枠の一面を覆うか、引き上げて用いた場合は窓枠の上部を覆う事となる。
これは横型ブラインド、シェード、スクリーン等においては、窓の外部から入る光の量の調整においては、横型ブラインドのスラット、シェード、スクリーン等を引き上げて用いるのが通常である。これらを引き上げる際は、手動タイプにおいては、持ち上げの昇降の操作紐等を用いている。  
または横型ブラインドにおいては、外部から建物の内部を見えなくする為に、横型ブラインドのスラットは窓ガラスを覆ったまま、スラットの角度のチルト調整をして、光の量の調整を行なったり、スラットから光の入る様に全開状態又は光の入らない様に遮蔽状態として用いている。
【０００４】
図１に示す様に、建物の内部の天井から採光しつつ、且つ建物の内部を見えなくする為の方法として次の施工方法があった。
窓枠は横渡し仕切り部３２によって上下に分け、上部窓枠３０と下部窓枠３１に分けて、上部の窓枠には例えば横型ブラインドA４０を取り付け、下部の窓枠には例えば横型ブラインドB４１を取り付け、上部の横型ブラインドA４０のスラットを持ち上げてたたみ込み、上部の窓枠A３０から外光を建物内部に採光する方法があった。しかしながらこの方法は、横型ブラインドB41を取り付ける為の窓枠の横渡し仕切り部３２が必要であり、既に窓枠の横渡し仕切り部３２の無い場合や窓枠が上下に分かれて造られていない場合には、図１の方法は用いる事はできない。
これらの横型ブラインド、シェード、スクリーン等においては、多くの特許公報が出願されているが、本件と同様なものは無い。
【０００５】
【特許文献１】特開２００８−２９１５６１号公報
【発明の開示】
【発明が解決しようとする課題】
【０００６】
横型ブラインド、シェード、スクリーン等の上部に開口手段により開口部を設けられる様にして採光可能とする。
【０００７】
横型ブラインド、シェード、スクリーン等を窓等に取り付けるのは、窓の外から建物の内部が見えない様にする点と、外部から直接光が入らない様にする点、外部から光を取り入れて光の調整を行なう事を目的としている。
しかしながら、横型ブラインド、シェード、スクリーン等をこの様に窓に取り付けると、採光を行なう室内等には光量が十分でなくなる場合がほとんどである。なぜなら、太陽は建物の上方向から光を照らし、太陽の直射日光は直接建物の内部の天井や上部に進入したり直射する事はない。
しかしながら外部から内部が見える点より、横型ブラインド、シェード、スクリーン等を用いて、これらを窓枠のガラス面に一面に被った降ろした状態で用いておる事が多い。
【０００８】
よって室内の中には外光が入り難く、よって横型ブラインド、シェード、スクリーン等を取り付ける事により昼間でも建物内や部屋の中の天井に取り付けられておる照明器具の蛍光灯等を点灯さなければならないのである。特に細かい作業、業務を行なう部屋においてはほとんどそうである。
【０００９】
窓の外部から内部が見えない様にする為にこれらのブラインド、シェード、スクリーン等を取り付けてはおるけれど、本来窓の外部から見えて困るのは、人の動き、内部の状態等であり、建物の室内部は明るい状態にする事が最適であり、窓の上部からは外光が室の内部の特に天井部分に入り込む事が好ましい。
この様に窓の外部の光が天井部分に入り込めば、内部室内等において蛍光灯等の点灯の必要が少なくなる。
また室内に外光を入れる為に、横型ブラインドやシェードやスクリーン等を巻き上げても、持ち上げられたスラットのたまりや、シェードのたまりや、スクリーンのたまりがある事によって窓の上部の一部は遮蔽されたままの状態となり、外光の室内の入りは少なくなる。つまり横型ブラインドのヘットレール部分にスラット等が溜まり、窓から建物内部への採光の効率がよくない。
【００１０】
昨今地球温暖化のＣＯ２の問題よりエコが叫ばれておる状態において、発明者は、外部から建物の内部を見えなくする為に、横型ブラインド、シェード、スクリーン等を用いる為に、反対に窓から入り込む光が不足してその代わりに、建物の室内に蛍光灯等の照明を点等しなければならない矛盾する状態の問題を容易に解決する方法を見出した。
【００１１】
解決しようとする問題点は、横型ブラインド、シェード、スクリーン等を用いて外部から部屋の中が見えなくすると共に、外部から建物の内部へ採光可能とする方法は無いかの問題点を提起した。
【課題を解決するための手段】
【００１２】
請求項１に示す様に、開口手段の下部に設けられた昇降可能な複数の紐等により吊され保持された横型ブラインドとシェードとスクリーンのいずれかのヘットレールの上部に採光させるための開口部を形成させ採光可能とする方法を用いる。
【００１３】
請求項２に示す様に、開口手段と、前記開口手段の下部に設けられた昇降可能な複数の紐等により吊さげて保持された採光させる為の開口部を形成させる横型ブラインドまたはシェードまたはスクリーン等のいずれかを用いる。
【００１４】
横型ブラインド、シェード、スクリーン等は、一般的には窓枠の上または天井に吊るしておる為に、または光を得る為の開口部の高さを調整できる様にする為に、図２の様に開口手段の下部に設けられた昇降可能な複数の紐等により横型ブラインドまたはシェードまたはスクリーン等を吊るす手段を用いざるを得ない。
【発明の効果】
【００１５】
開口手段を具備する横型ブラインドまたはシェードまたはスクリーン等を用いれば、窓の上部の開口部から進入した光は干渉および回析や反射によって、建物の内部の天井方向から下部や部屋の細部に広がる。開口部が窓の上部になるので、建物内部または室内を外部から見られる事がなく、開口部からの採光により建物内や室内を明るく保つことが可能である。
【００１６】
本発明の開口部を形成させる方法、上部に開口部を設けた横型ブラインドまたはシェードまたはスクリーン等を用いれば、横型ブラインドまたはシェードまたはスクリーン等の上部から採光を行いつつ、今まで通りの横型ブラインドまたはシェードまたはスクリーン等にある機能も同時に行なえなえるこという利点がある。
【００１７】
また、窓枠の下方から今まで通りスラットやシェードやスクリーン等を巻き上げまたは畳み上げたりできるばかりでなく、窓枠の上方から今までの横型ブラインドやシェードやスクリーン等のいずれかを、開口手段によって、そのまま上下移動させる事ができる。
【００１８】
図２に示す様に、開口手段５０により開口部８０の開口の高さ６０を調整する事により、開口部の面積や高さを変えることや調整ができる。
【００１９】
今までの横型ブラインドまたはシェードまたはスクリーン等においては引き上
げた時に、各々の上部にあるヘットレール付近には、横型ブラインドのスラットの溜まりや集積や、シェードの溜まりや集積や、ロールスクリーンの溜まりや集積が発生する。よってこれらの溜まりや集積により、窓の外からの光が内部に入り込む事が遮られる事となる。しかしながら本発明の開口手段を用いた横型ブラインドまたはシェードまたはスクリーン等においては、開口部８０には、前記の溜まりや集積の遮蔽が完全に無い状態とする事ができる。よって前記開口から窓の外からの光を十分に採取することができる。
【００２０】
スラット等が上部に持ち上げた時、スラットが集積してたまる事もなく、窓枠の上部から進入する採光量が多く採光の効率がよい。
窓の外から多くの光量を得られるばかりでなく、横型ブラインド、シェード、スクリーン等により今まで通りの遮蔽効果を得る事が出来る。
【００２１】
建築物において窓の大きさ、建物の周囲状況、方向における条件もあるが、既存の横型ブラインド、シェード、スクリーン等を用いながら、建物内部の蛍光灯等の照明を点灯する事なしに建物内の採光が期待できる。
【００２２】
図１における様に、例えば横型ブラインドの操作紐においては、計４本の操作紐が必要となる。しかしながら本発明の開口手段を用いた方法を用いれば、操作紐の数を図２の様に３本と少なくできる。
【００２３】
本発明は、既存の横型ブラインド、シェード、スクリーン等に開口手段を付加
するだけでほとんど既存のままでも実施する事ができる。また開口手段を付加した横型ブラインド、シェード、スクリーン等として生産発売が可能である。
【００２４】
開口手段の筐体は、横型ブラインド、シェードのヘットレールの金型等を共通化にて流用して用いる事ができるので、開口手段の装置の生産における新たな生産設備の必要がない。
【実施例１】
【００２５】
図２は、本発明の例えば横型ブラインドの場合を示す。
例として窓枠１２には、ガラス１３がはめられている。窓枠１２の上には開口手段５０の筐体１が取り付けられ筐体取り付けブラケット１５によって固定されている。
開口手段５０の下部に設けられた昇降可能な複数の紐等２が垂下した状態で、これらの紐等２により吊りさげられ保持されたヘットレール４の上部に採光させるための開口部８０を形成させ採光可能としている。
紐等２は操作紐３により昇降させ、開口部８０を形成する。
開口手段５０における紐等２は、紐状の繊維でもよく又はテープ状の繊維でもよい。また紐状やテープ状の繊維に限らず、材質はスチール、高分子材料で作られたものでもよい。
本実施例によれば、操作紐３により開口部の開口高さ６０は調整できる。
紐等２により吊りさげられヘットレール４に、紐等２を取り付ける方法としては、実施例の様に取り付けブラケット１６を用いても良い。
取り付けブラケット１６は、スラットの昇降紐１１やラダー紐５を妨げる事なく取り付けられる様になっている。
紐等２の操作により、ボトムレール９の下降は窓の枠１２によって妨げられ、スラットの溜まり１４が構成される様にもできる。
上下移動の操作紐３の昇降の保持は筐体１に具備されているラチェット等により固定されるが、ラチェットでなくとも固定できるものなら何でもよい。
【００２６】
図３に示す様にラダー紐５は左右にあって、その間にブリッチする様にラダー紐の支え１０が構成されている。
スラット８は、ラダー紐５に挟まれラダー紐の支え１０に載せられる様に支えられている。ラダー紐５の下部の端には、ボトムレール９によってラダー紐５が重力で張る様に下げられる。ボトムレール９から上部の延びている昇降紐１１は、各スラット８に明けられた穴を通って上部のヘットレール４の下部に開けられた穴に通されており、これらの昇降紐６は、昇降操作紐６を引っ張る事により、ボトムレール９の上昇と共に、スラット８は序序に重なって上部に移動する。また反対に、昇降の操作紐６を反対方向に引っ張る事により、ボトムレール９の下降と共に、スラット８は序序に降りてきて、ラダー紐５とラダー紐の支え１０により、定位置となる。
紐等６はヘットレール４にラチェット等を設け、引き上げたスラットが滑り落ちない様に、保持固定状態となる。
７は横型ブラインドのスラットのチルト動作の操作紐である。  チルト動作の操作紐７のいずれか一方を引っ張る事により、ラダー紐５の左右が動き、ラダー紐５とラダー紐の支え１０により、昇降紐１１を中心線として、スラット８は、スラットのチルト動作の操作紐７の引っ張りによって、スラット８はチルト動作を行なう。
チルト動作は、採光を細かく操作調整できるが、この操作方法においては、チルト動作の操作紐７に限られることなく、ステック状の操作棒によって操作を行う様になっているものを用いてもよい。
【００２７】
この様にして、開口手段５０の下部に設けられた昇降可能な複数の紐等２により吊りさげられ保持された横型ブラインドとシェードとスクリーンのいずれかのヘットレールの上部に採光させるための開口部８０を形成させ採光可能としている。
【００２８】
また、開口手段５０と、前記開口手段の下部に設けられた昇降可能な複数の紐等２により吊さげられ保持して横型ブラインドまたはシェードまたはスクリーン等のヘットレール４において採光させる為の開口部８０を形成させる様にしている。
この様に開口手段５０および横型ブラインド７０によって、開口手段５０を持つ横型ブラインド７０を構成している。
本図では、横型ブラインド７０を例として示したがシェード、スクリーンやロールスクリーン等でもよい。    
【００２９】
図４は  本発明の例えば横型ブラインド装置において、開口部が無い様に操作し上部を閉じ開口部を完全に無くした状態を示す。
横型ブラインドのヘットレール４は、操作紐６により開口手段５０の筐体１のほぼ下部付近までに上昇した状態となっている。
図４の様に筐体１とヘットレール４を近づけた状態において、横型ブラインドのスラット昇降の操作紐６を操作すると、横型ブラインド７０の部分は、ヘットレール４は筐体１により支えられ、揺れたり振動したりしなくなるので、操作紐６の操作が容易となる。
【００３０】
開口手段５０の筐体１は、窓枠１２に取り付けブラケット１５により固定される。
よって、実際においては、ブラケット１５により筐体１とヘットレール４の間はわずか隙間が生じる。
よって筐体１からの上下移動の操作紐３は、実施例の図の様に筐体の横から出ている状態になっておるが、筐体１の下側から出る様にしてもよい。筐体１とヘットレール４の間に、筐体の取り付けブラケット１５による隙間が生じるので、筐体１とヘットレール４を近づけた状態においても何等支障は生じない。
【００３１】
図５は  本発明の例えば横型ブラインド装置において、上部に開口部を無くした状態で、且つブラインド７０を引き上げた状態を示す。スラットの溜まり１４が出来ている。
建物の内部の下位置において光量を得ると共に、建物の内部の天井部分に光量を得る事ができる。また内部の状態を外部から見られる事はない。
【００３２】
図６は昇降の操作紐６により、スラットやシェードやスクリーン等を持ち上げまたは巻き上げて、窓の下部において窓ガラスを露出し窓から採光させる事ができると共に、開口手段５０により開口部８０をもうけ、窓の上部からも採光が可能である事を示す。
【００３３】
口手段においては、紐等２の上下移動の操作紐３の代わりに、筐体１の中にモータ等の動力装置を入れて、紐等２を上下移動ささえる方法も、本請求の範囲に含むものとする。
【００３４】
開口手段５０は上下移動の操作紐にて、紐等２の上下移動の操作を行っているが、手動の上下移動の操作紐によらないで、モータ等の電動で紐等２の上下動作ができる様にしたものも、本請求の範囲に含むものとする。
また図１から図５までの実施例では手動の横型ブラインド７０で示したが電動の横型ブラインドでもよい。また布や高分子材料を用いたプリテットシェード、ロールスクリーン等においても同じ事が言える。
【産業上の利用可能性】
【００３５】
窓からの採光の調整をする為や、窓から内部を見えなくする為の横型ブラインドとシェードとスクリーン等に利用できる。
【図面の簡単な説明】
【００３６】
【図１】従来の横型ブラインド装置を横渡しの仕切り部のある窓枠に２台取り付けた状態を示す。
【図２】本発明の開口手段によって開口部を設けた例えば横型ブラインド装置を示す。
【図３】本発明の横型ブラインド装置のスラットやラダー紐と昇降紐の状態を示す。
【図４】本発明の例えば横型ブラインド装置において、完全に閉じ上部に開口部を設けない状態を示す。
【図５】本発明の例えば横型ブラインド装置において、上部を完全に閉じ開口部を設けないで、且つスラットを上に引き上げた状態を示す。
【図６】スラットを持ち上げ窓の下部において窓ガラスを露出し窓から採光させる事ができると共に、開口手段５０により開口部８０をもうけ、窓の上部からも採光が可能である状態を示す。
【符号の説明】
【００３７】
１  筐体
２  紐等
３  上下移動の操作紐  
４  横型ブラインドのヘットレール
５  ラダー紐
６  横型ブラインドのスラット昇降の操作紐  
７  横型ブラインドのスラットのチルト動作の操作紐  
８  スラット
９  ボトムレール
１０  ラダー紐の支え
１１  横型ブラインドのスラット昇降紐
１２  窓枠
１３  ガラス
１４  スラットの溜まり
１５  筐体の取り付けブラケット
１６  取り付けブラケット
２１  ヘットレールA
３０  窓枠A
３１  窓枠B
３２  窓枠の横渡し仕切り部
４０  横型ブラインドA
４１  横型ブラインドB
５０  開口手段
６０  開口部の開口高さ
７０  横型ブラインド
８０  開口部
【図１】
2011052377.tif 000003
【図２】
2011052377.tif 000004
【図３】
2011052377.tif 000005
【図４】
2011052377.tif 000006
【図５】
2011052377.tif 000007
【図６】
2011052377.tif 000008